(57)【要約】【課題】パネル本体に表層シートが両面粘着テープで貼り付けられる洗い場床パネルにおいて、両面粘着テープにコシがあっても、表層シートをパネル本体の立ち上り部のコーナーに確実に密着させる。【解決手段】洗い場床パネル３のパネル本体１０の上面及び立ち上り部１４に表層シート３０を被せる。表層シート３０とパネル本体１０の間に両面粘着テープ３０を設ける。両面粘着テープ３０の基材層３１における、前記立ち上り部１４のコーナー１４ｃに対応する部分には切れ込み３４を形成する。【選択図】図５
2019094760.tif 000002
【特許請求の範囲】
【請求項１】
浴室の洗い場に設けられる洗い場床パネルであって、
浴槽側の端部に立ち上り部が形成されたパネル本体と、
前記パネル本体の上面及び前記立ち上り部に被さる表層シートと、
前記表層シートと前記パネル本体との間に設けられた両面粘着テープと、を備え、
前記両面粘着テープが、樹脂フィルムからなる基材層と、前記基材層の両面に積層された粘着層を含み、前記基材層における前記上面と前記洗い場側面とのコーナーに対応する部分には切れ込みが形成されていることを特徴とする洗い場床パネル。
【請求項２】
前記パネル本体における前記コーナーがＲ形状になっており、前記切れ込みが前記コーナーの周方向の中央部に対応する箇所に設けられていることを特徴とする請求項１に記載の洗い場床パネル。
【請求項３】
前記パネル本体が、発泡樹脂からなるパネル本体部材と、前記パネル本体部材の底部に被さる下側補強パネル部材と、前記パネル本体部材の上面に被さる上側補強パネル部材とを含み、前記パネル本体部材に前記コーナー及び前記立ち上り部が形成されており、
前記表層シートが、前記上側補強パネル部材に被さる洗い場シート部と、前記コーナーに被さるコーナーシート部と、前記立ち上り部の洗い場を向く側面に被さる立ち上りシート部を含み、前記コーナーシート部における前記基材層に前記切れ込みが形成されていることを特徴とする請求項１又は２に記載の洗い場床パネル。
【請求項４】
前記基材層が、ポリエチレンテレフタレート（ＰＥＴ）を含むことを特徴とする請求項１〜３の何れか１項に記載の洗い場床パネル。
【請求項５】
浴室の洗い場床パネルにおける表層シートの裏面に設けられた両面粘着テープの基材層に切れ込みを形成し、
前記切れ込みが前記洗い場床パネルのパネル本体の上面と立ち上り部とのコーナーに配置されるようにして、前記表層シートを前記両面粘着テープによって前記上面及び前記立ち上り部に貼り付けることを特徴とする洗い場床パネルの製造方法。
【発明の詳細な説明】
【技術分野】
【０００１】
本発明は、浴室の洗い場床パネル及びその製造方法に関し、特に立ち上がり部を有するパネル本体に表層シートが被さる洗い場床パネル及び前記表層シートの貼り付け方法に関する。
【背景技術】
【０００２】
例えば特許文献１、２における浴室の洗い場床パネルは、発泡ポリプロピレンなどの発泡樹脂パネルを主体とするパネル本体を備えている。パネル本体の底部には鋼板が設けられ、パネル本体の上面にはクッション材を介して表層シートが設けられている。パネル本体における浴槽側の端部には、立ち上り部（土手部）が上方へ突出するように一体形成されている。立ち上り部によって、洗い場からの水が浴槽と浴槽受けパンとの間へ流れ込むのを防いでいる。
【０００３】
特許文献１の表層シートは、パネル本体の上面から立ち上り部にわたって接着層で貼り付けられている。該表層シートのパネル本体上面に被さる部分には、ガラス繊維織物などの延伸抑制部材が埋め込まれている。一方、表層シートの立ち上り部に被さる部分は、延伸抑制部材を含まず、かつ前記パネル本体上面に被さる部分よりも薄肉になっている。そうすることで、表層シートが立ち上り部に合わせて折り曲げられ易くなっている。
【先行技術文献】
【特許文献】
【０００４】
【特許文献１】特開２０１５−１８３４１４号公報
【特許文献２】特開２０１３−２０９８５３号公報
【発明の概要】
【発明が解決しようとする課題】
【０００５】
発明者の知見又は考察によれば、軟質ポリ塩化ビニルを主成分とする発泡複層表層シート中の可塑剤等の含有成分が裏側の接着層に滲み出し、接着層が変質して表層シートが剥がれ易くなったり、逆に表層シートが剥離不能ひいてはリフォーム不能になったりすることがある。そこで、前記接着層として両面粘着テープを用い、該両面粘着テープの基材層によって前記滲み出し成分の浸透を阻止することを発案した。
【０００６】
一方、前記基材層の材質によっては両面粘着テープがコシを有するために、表層シートがパネル本体の上面と立ち上り部とのコーナーから浮いて密着されないおそれがある。
本発明は、かかる事情に鑑み、パネル本体に表層シートが両面粘着テープで貼り付けられる洗い場床パネルにおいて、両面粘着テープにコシがあっても、表層シートが前記コーナーに確実に密着されるようにすることを目的とする。
【課題を解決するための手段】
【０００７】
前記課題を解決するために、本発明は、浴室の洗い場に設けられる洗い場床パネルであって、
浴槽側の端部に立ち上り部が形成されたパネル本体と、
前記パネル本体の上面及び前記立ち上り部に被さる表層シートと、
前記表層シートと前記パネル本体との間に設けられた両面粘着テープと、を備え、
前記両面粘着テープが、樹脂フィルムからなる基材層と、前記基材層の両面に積層された粘着層を含み、前記基材層における前記上面と前記洗い場側面とのコーナーに対応する部分には切れ込みが形成されていることを特徴とする。 
【０００８】
当該特徴構成を有する洗い場床パネルによれば、両面粘着テープの基材層によって可塑剤の浸透を阻止できる。これによって、表層シートの接合力低下を防止でき、かつ表層シートが剥離不能になるのを防止してリフォーム可能にすることができる。
前記コーナーに対応する部分に切れ込みを形成しておくことによって、表層シートがコーナーに倣って容易に曲げられる。両面粘着テープにコシがあっても、表層シートがコーナーの形状に容易に追従される。コーナーの曲率が大きくても、それに合わせて表層シートを大きく湾曲ないしは屈曲させることができる。したがって、表層シートをコーナーに確実に密着させて貼り付けることができる。
ちなみに、特許文献１の表層シートは、洗い場部分の内部構造と立ち上り部分の内部構造を区別して作製する必要があり、製造が煩雑である。また、前記洗い場部分にはガラス繊維織物が埋め込まれているため、例えば排水口へ向かう下り勾配に合わせて変形されにくい。
【０００９】
前記パネル本体における前記コーナーがＲ形状になっており、前記切れ込みが前記コーナーの周方向の中央部に対応する箇所に設けられていることが好ましい。
これによって、表層シートをコーナーにおいて確実に湾曲させることができる。
【００１０】
前記パネル本体が、発泡樹脂からなるパネル本体部材と、前記パネル本体部材の底部に被さる下側補強パネル部材と、前記パネル本体部材の上面に被さる上側補強パネル部材とを含み、前記パネル本体部材に前記コーナー及び前記立ち上り部が形成されていることが好ましい。
前記下側補強パネル部材及び上側補強パネル部材は、鋼板等の金属によって構成されていることが好ましい。これによって、発泡樹脂製のパネル本体部材を確実に補強できる。
前記表層シートが、前記上側補強パネル部材に被さる洗い場シート部と、前記コーナーに被さるコーナーシート部と、前記立ち上り部の洗い場を向く側面に被さる立ち上りシート部を含み、前記コーナーシート部における前記基材層に前記切れ込みが形成されていることが好ましい。
これによって、コーナーシート部をコーナーに倣って確実に曲げることができる。
【００１１】
前記基材層が、ポリエチレンテレフタレート（ＰＥＴ）を含むことが好ましい。
これによって、表層シートの成分が両面粘着テープに滲み出してきたとしても、基材層において浸透を阻止でき、両面粘着テープにおけるパネル本体側の粘着層が変質するのを阻止できる。基材層をＰＥＴ製とすることによって両面粘着テープにコシが生じたとしても、前記切れ込み形成によって表層シートをコーナーにおいて確実に曲げることができる。
【００１２】
本発明方法は、浴室の洗い場床パネルにおける表層シートの裏面に設けられた両面粘着テープの基材層に切れ込みを形成し、
前記切れ込みが前記洗い場床パネルのパネル本体の上面と立ち上り部とのコーナーに配置されるようにして、前記表層シートを前記両面粘着テープによって前記上面及び前記立ち上り部に貼り付けることを特徴とする。
【発明の効果】
【００１３】
本発明によれば、パネル本体に表層シートが両面粘着テープで貼り付けられる洗い場床パネルにおいて、両面粘着テープにコシがあっても表層シートをコーナーに確実に密着させて貼り付けることができる。
【図面の簡単な説明】
【００１４】
【図１】図１は、本発明の一実施形態に係る浴室の洗い場床パネルの平面図である。
【図２】図２は、図１のＩＩ−ＩＩ線に沿う側面断面図である。
【図３】図３は、前記洗い場床パンの分解斜視図である。
【図４】図４は、図２の円部ＩＶの拡大断面図である。
【図５】図５は、図２の円部Ｖの拡大断面図である。
【図６】図６は、図５の円部ＶＩの拡大断面図である。
【発明を実施するための形態】
【００１５】
以下、本発明の一実施形態を図面にしたがって説明する。
図１及び図２に示すように、浴室の洗い場１ｂには洗い場床パネル３が設けられている。洗い場床パネル３は、パネル本体１０と、表層シート２０を備え、平面視で長方形状（四角形状）になっている。
【００１６】
パネル本体１０は、パネル本体部材１１と、上下の補強パネル部材１２，１３を含む。
パネル本体部材１１は、ＥＰＳ（発泡ポリスチレン）等の発泡樹脂によって長方形（四角形）の板状に成形されている。前記ＥＰＳの発泡倍率は、好ましくは１５倍〜３０倍程度であり、より好ましくは２０倍程度である。なお、パネル本体部材１１の材質は、ＥＰＳに限られず、発泡ポリプロピレン、発泡ポリエチレン等であってもよい。
【００１７】
図１及び図２に示すように、パネル本体部材１１における浴槽１ａ側の端部には、立ち上り部１４（土手部）が一体形成されている。立ち上り部１４は、パネル本体部材１１の当該立ち上り部１４を除く上面より上方へ突出され、かつ洗い場床パネル３の幅方向（図１において上下）に延びている。
パネル本体部材１１における上面と、立ち上り部１４の洗い場を向く側面１４ｂとの間のコーナー１４ｃは、Ｒ形状になっている。
【００１８】
図１及び図３に示すように、パネル本体部材１１の浴槽１ａ側を除く３つの端部には樹脂製の枠部材１７が設けられている。図２に示すように、枠部材１７は、浴室壁又は浴室扉枠１ｆの底部を受けている。
【００１９】
図２に示すように、パネル本体１０ひいては洗い場床パネル３の一箇所に排水口３ｃが設けられている。パネル本体１０の上面には排水口３ｃへ向かって下がり勾配が付けられている。
【００２０】
パネル本体部材１１の底部に下側補強パネル部材１３が設けられている。下側補強パネル部材１３は、四角形の底板部１３ａと、側板部１３ｂを有している。下側補強パネル部材１３は、鋼板などの金属板を成形（シャーリング、穴開け、折り曲げなど）することによって構成されている。下側補強パネル部材１３の厚みは、好ましくは０．５ｍｍ〜１．２ｍｍ程度であり、より好ましくは０．６ｍｍ程度であるが、必ずしも前記数値に限定されるものではない。
【００２１】
図２及び図３に示すように、下側補強パネル部材１３の底板部１３ａが、パネル本体部材１１の底面（下面）に被さっている。底板部１３ａの４つの端部からそれぞれ側板部１３ｂが一体に立ち上がりパネル本体部材１１の端面に被さっている。互いに隣接する側板部１３ｂどうしは縁切りスリット１３ｃによって縁切りされている。
図４に示すように、パネル本体部材１１と下側補強パネル部材１３とは、例えば熱硬化性の接着剤４３によって接着されている。図４において、接着剤４３の厚みは誇張されている。
【００２２】
図２及び図３に示すように、パネル本体部材１１における立ち上り部１４を除く部分の上面には上側補強パネル部材１２が被さっている。図４に示すように、パネル本体部材１１と上側補強パネル部材１２とは、例えば熱硬化性の接着剤４２によって接着されている。図４において、接着剤４２の厚みは誇張されている。
上側補強パネル部材１２は、鋼板などの金属板を成形（シャーリング、穴開けなど）することによって構成されている。上側補強パネル部材１２の厚みは、好ましくは０．５ｍｍ〜１．２ｍｍ程度であり、より好ましくは０．８ｍｍ程度であるが、必ずしも前記数値に限定されるものではない。
【００２３】
図２に示すように、立ち上り部１４の浴槽側面及び上面には、アルミ押出成形材からなる立ち上り補強部材１５が被さっている。
【００２４】
図２及び図３に示すように、パネル本体１０の上面に表層シート２０が被さっている。表層シート２０は、軟質塩化ビニル樹脂（ＰＶＣ）によって構成されている。なお、表層シート２０の材質は、ＰＶＣに限られずシリコンラバー等によって構成されていてもよい。
表層シート２０の厚みは、好ましくは２ｍｍ〜４ｍｍ程度であるが、必ずしも前記数値に限定されるものではない。表層シート２０は、防水性を有している。更に、表層シート２０によって、洗い場床パネル３の温熱感性及びクッション性が確保されている。
【００２５】
図２及び図３に示すように、表層シート２０は、洗い場シート部２１と、立ち上りシート部２２を含む。洗い場シート部２１が、パネル本体１０の上側補強パネル部材１２に被さっている。洗い場シート部２１によって、洗い場３の表面（上面）が形成されている。洗い場シート部２１は、パネル本体１０の下がり勾配付きの上面形状に合わせて折り曲げられている。逆に言うと、表層シート２０は、パネル本体１０の上面形状に倣う程度の柔軟性ないしは可撓性を有している。
【００２６】
なお、洗い場シート部２１には、排水口３ｃに対応する排水開口２１ｃが形成されている。排水開口２１ｃの縁部に排水縁部材１６ｂが設けられている。排水縁部材１６ｂが、パネル本体１０における排水開口に設けられた排水ベース部材１６ａと接合されている。排水ベース部材１６ａと排水縁部材１６ｂとによって排水口部材１６が構成されている。
【００２７】
図５に示すように、洗い場シート部２１の浴槽側部（図２において左側部）に立ち上りシート部２２が一体に連なっている。立ち上りシート部２２は、洗い場シート部２１から立ち上がり、立ち上り部１４の洗い場を向く側面１４ｂに被さっている。
【００２８】
表層シート２０における洗い場シート部２１と立ち上りシート部２２との間にコーナーシート部２３が介在されている。図６に示すように、コーナーシート部２３は、コーナー１４ｃの曲率に合わせて曲げられている。コーナーシート部２３が、コーナー１４ｃに被さっている。
【００２９】
図４〜図６に示すように、表層シート２０とパネル本体１０との間に両面粘着テープ３０が介在されている。両面粘着テープ３０は、表層シート２０の裏面（下面）の好ましくは全域に積層されている。両面粘着テープ３０を介して表層シート２０とパネル本体１０とが接合されている。
【００３０】
両面粘着テープ３０は、基材層３１と、粘着層３２，３３を含む。なお、図４〜図６において、両面粘着テープ３０の各層３１，３２，３３の厚みは誇張されている。
基材層３１は、ポリエチレンテレフタレート（ＰＥＴ）などの樹脂フィルムによって構成されている。ＰＥＴ製の基材層３１を含む粘着テープ３０はコシを有している。
基材層３１の両面に粘着層３２，３３が積層されている。上面側の粘着層３２が表層シート２０に粘着されている。下面側の粘着層３２がパネル本体１０に粘着されている。
【００３１】
図６に示すように、両面粘着テープ３０のコーナー１４ｃに対応する部分には切れ込み３４が形成されている。詳しくは、切れ込み３４は、コーナー１４ｃの周方向の中央部に設けられ、洗い場床パネル３の幅方向（図６において紙面と直交する方向）へ延びている。切れ込み３４は、パネル本体部材１１側の粘着層３３から基材層３１の厚み方向に切り込まれている。
図６においては、切れ込み３４の先端が、基材層３１と表層側粘着層３２との境に達し、基材層３１が切れ込み３４において２つに分割されている。なお、これに限られず、基材層３１の厚み方向の途中まで切れ込み３４が入ることで、切れ込み３４を挟んで両側の基材層３１が連なっていてもよい。或いは、両面粘着テープ３０の厚み方向の全体に切れ込み３４が入っていてもよい。
【００３２】
洗い場床パネル３は、例えば次のようにして作製される。
洗い場床パネル３の構成部材１１〜１７，２０をそれぞれ作製する。
下側補強パネル部材１３又はパネル本体部材１１に熱硬化性接着剤４３を塗布し、下側補強パネル部材１３上にパネル本体部材１１を載せる。
次いで、パネル本体部材１１又は上側補強パネル部材１２に熱硬化性接着剤４２を塗布し、パネル本体部材１１上に上側補強パネル部材１２を被せる。
これらパネル積層体１１，１２，１３を真空圧空熱プレス機で圧力を加えながら加熱することによって前記接着剤を硬化させる。これによって、パネル本体１０が作製される。
【００３３】
パネル本体１０の排水口３ｃには排水ベース部材１６ａを設ける。
パネル本体部材１１の浴槽側を除く３つの縁部には、枠部材１７を設ける。浴槽側の立ち上り部１４には立ち上り補強部材１５を被せる。
【００３４】
表層シート２０の裏面には両面粘着テープ３０を設けておく。該両面粘着テープ３０のパネル側粘着層３３には、当初、離型紙が貼られている。かつ両面粘着テープ３０のコーナー１４ｃに対応する部分には、切れ込み３４を形成しておく。
表層シート２０の排水開口２１ｃには排水縁部材１６ｂを設けておく。
【００３５】
前記離型紙を剥がし、表層シート２０をパネル本体１０に貼り付ける。
詳しくは、排水縁部材１６ｂを排水ベース部材１６ａと嵌合させ、洗い場シート部２１を上側補強パネル部材１２の上面に貼り付ける。
また、コーナーシート部２３をコーナー１４ｃに添わせる。これによって、切れ込み３４がコーナー１４ｃに位置される。
該コーナーシート部２３をコーナー１４ｃに倣うように曲げるとともに、立ち上りシート部２２を立ち上り部１４の洗い場側面１４ｂに貼り付ける。このとき、コーナーシート部２３における両面粘着テープ３０には切れ込み３４が形成されているために、コーナーシート部２３をコーナー１４ｃのＲ形状に追従するように容易に曲げることができる。ＰＥＴ製基材層３１を含む両面粘着テープ３０にコシがあっても、コーナーシート部２３を容易に曲げることができる。コーナー１４ｃの曲率が大きくても、それに合わせてコーナーシート部２３を大きく湾曲ないしは屈曲させることができる。
したがって、表層シート２０がコーナー１４ｃから浮くのを防止でき、コーナーシート部２３をコーナー１４ｃに確実に密着させることができる。
【００３６】
洗い場床パネル３によれば、前記両面粘着テープ３０の基材層３１をＰＥＴによって構成することによって、塩ビ製の表層シート２０中の可塑剤が表層側粘着層３２に滲み出したとしても、該可塑剤がパネル側粘着層３３まで浸透するのを阻止でき、パネル側粘着層３３が可塑剤と反応して変質するのを防止できる。これによって、表層シート２０の接合力が低下するのを防止できる。かつ表層シート２０が剥離不能になるのを防止でき、ひいてはリフォーム不能になるのを防止できる。
更に、洗い場床パネル３によれば、上下の補強パネル部材１２，１３でパネル本体部材１１を挟むことによって、発泡樹脂製のパネル本体部材１１を確実に補強できる。さらには、パネル本体部材１１が補強パネル部材１２，１３によって囲まれて拘束されることによって、気温が変動しても発泡樹脂製のパネル本体部材１１が大きく膨張、収縮するのを抑制でき、パネル本体部材１１の周りの水密材のちぎれ等を防止できる。
表層シート２０の立ち上りシート部２２と立ち上り補強部材１５とによって立ち上り部１４を囲むことによって、立ち上り部１４を保護できる。
【００３７】
本発明は、前記実施形態に限定されるものではなく、その趣旨に反しない限りにおいて種々の改変をなすことができる。
例えば、両面粘着テープ３０の切れ込み３４の数は１つに限られず２つ以上でもよい。２以上の切れ込み３４が、コーナー１４ｃの周方向に互いに離れて配置されていてもよい。
上側補強パネル部材１２を省略してもよい。表層シート２０をパネル本体部材１１に直接貼り付けてもよい。上側補強パネル部材１２又はパネル本体部材１１に両面粘着テープ３０を貼り付けておき、その上に表層シート２０を貼ってもよい。
パネル本体が、繊維強化プラスチック（ＦＲＰ）によって構成されていてもよい。
浴室はシャワー室をも含む。
【産業上の利用可能性】
【００３８】
本発明は、例えば建物に納められる浴室ユニットの洗い場床に適用可能である。
【符号の説明】
【００３９】
１ｂ      洗い場
３        洗い場床パネル
１０      パネル本体
１１      パネル本体部材
１２      上側補強パネル部材
１３      下側補強パネル部材
１４      立ち上り部
１４ｂ    洗い場を向く側面
１４ｃ    コーナー
２０      表層シート
２１      洗い場シート部
２２      立ち上りシート部
２３      コーナーシート部
３０      両面粘着テープ
３１      基材層
３２，３３  粘着層
３４      切れ込み 
【図１】
2019094760.tif 000003
【図２】
2019094760.tif 000004
【図３】
2019094760.tif 000005
【図４】
2019094760.tif 000006
【図５】
2019094760.tif 000007
【図６】
2019094760.tif 000008